Podtech/llm-jp-corpus-v4-ja_patent huggingface dataset:
【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
暗号化されるとともに、複製制御情報が付加された情報信号が記録された記録媒体から、前記情報信号を再生する情報信号再生装置であって、
前記記録媒体から読み出した前記情報信号が暗号化されているか否かを検出する暗号化有無検出手段と、
前記記録媒体から読み出した前記情報信号から前記複製制御情報を検出する複製制御情報検出手段と、
前記暗号化有無検出手段の検出出力と、前記複製制御情報検出手段の検出出力とに基づいて、前記情報信号の再生制限制御を行う再生制限制御手段と
を備えることを特徴とする情報信号再生装置。
【請求項２】
暗号化されるとともに、複製制御情報が付加された情報信号の供給を受けて、これを出力する情報信号出力装置であって、
前記情報信号が暗号化されているか否かを検出する暗号化有無検出手段と、
前記情報信号から前記複製制御情報を検出する複製制御情報検出手段と、
前記暗号化有無検出手段の検出出力と、前記複製制御情報検出手段の検出出力とに基づいて、前記情報信号の出力制限制御を行う出力制限制御手段と
を備えることを特徴とする情報信号処理装置。
【請求項３】
暗号化されるとともに、複製制御情報が付加された情報信号が記録された記録媒体から、前記情報信号を再生する情報信号再生方法であって、
前記記録媒体から読み出した前記情報信号が暗号化されているか否かの暗号化の有無を検出し、
前記記録媒体から読み出した前記情報信号から前記複製制御情報を検出し、
検出した前記暗号化有無の有無と、検出した前記複製制御情報とに基づいて、前記情報信号の再生制限制御を行うことを特徴とする情報信号再生方法。
【請求項４】
前記情報信号は、種類の異なる複数の複製制御情報が付加されたものであり、
前記種類の異なる複数の複製制御情報を検出し、
検出した前記暗号化有無の有無と、検出した前記種類の異なる複数の複製制御情報とに基づいて、前記情報信号の再生制限制御を行うことを特徴とする請求項３に記載の情報信号再生方法。
【請求項５】
前記情報信号には、ＣＧＭＳ方式の複製制御情報が付加されており、
前記情報信号に付加された前記ＣＧＭＳ方式の複製制御情報を検出することを特徴とする請求項３に記載の情報信号再生方法。
【請求項６】
前記情報信号には、前記複製制御情報として、電子透かし情報が重畳されており、
前記情報信号に重畳された前記電子透かし情報を検出することを特徴とする請求項３に記載の情報信号再生方法。
【請求項７】
前記情報信号は、ＣＳＳ方式の暗号化がされたものであり、
前記暗号化の有無の検出は、前記情報信号が前記ＣＳＳ方式の暗号化がされたものであるか否かの有無を検出するものであることを特徴とする請求項３に記載の情報信号再生方法。
【請求項８】
暗号化されるとともに、複製制御情報が付加された情報信号の供給をうけて、これを出力する情報信号出力方法であって、
前記情報信号が暗号化されているか否かの暗号化の有無を検出し、
前記情報信号から前記複製制御情報を検出し、
検出した前記暗号化有無の有無と、検出した前記複製制御情報とに基づいて、前記情報信号の出力制限制御を行うことを特徴とする情報信号出力方法。
【請求項９】
前記情報信号は、種類の異なる複数の複製制御情報が付加されたものであり、
前記種類の異なる複数の複製制御情報を検出し、
検出した前記暗号化有無の有無と、検出した前記種類の異なる複数の複製制御情報とに基づいて、前記情報信号の出力制限制御を行うことを特徴とする請求項８に記載の情報信号出力方法。
【請求項１０】
前記情報信号には、ＣＧＭＳ方式の複製制御情報が付加されており、
前記情報信号に付加された前記ＣＧＭＳ方式の複製制御情報を検出することを特徴とする請求項８に記載の情報信号出力方法。
【請求項１１】
前記情報信号には、前記複製制御情報として、電子透かし情報が重畳されており、
前記情報信号に重畳された前記電子透かし情報を検出することを特徴とする請求項８に記載の情報信号出力方法。
【請求項１２】
前記情報信号は、ＣＳＳ方式の暗号化がされたものであり、
前記暗号化の有無の検出は、前記情報信号が前記ＣＳＳ方式の暗号化がされたものであるか否かの有無を検出するものであることを特徴とする請求項８に記載の情報信号出力方法。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】０１７３
【補正方法】削除
【補正の内容】
【手続補正１９】
【補正対象書類名】明細書
【補正対象項目名】０１７４
【補正方法】削除
【補正の内容】
【手続補正２０】
【補正対象書類名】明細書
【補正対象項目名】０１７５
【補正方法】削除
【補正の内容】
【手続補正２１】
【補正対象書類名】明細書
【補正対象項目名】０１７６
【補正方法】削除
【補正の内容】
【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
一つ以上のホストコンピュータから転送される入出力データを処理する物理的に独立した２つ以上のチャネルアダプタ部と、一つ以上の磁気ディスク装置から転送される入出力データを処理する物理的に独立した２つ以上のディスクアダプタ部と、前記磁気ディスク装置のデータ及び磁気ディスク装置に関する制御情報を格納する物理的に独立したキャッシュメモリから成るディスクアレイ制御装置において、
前記チャネルアダプタ部と前記キャッシュメモリとの間、及び前記ディスクアダプタ部と前記キャッシュメモリとの間にそれぞれ設けられる物理的に独立した２つ以上の交替可能なアービタ部と、
前記チャネルアダプタ部、前記ディスクアダプタ部、及び前記キャッシュメモリのそれぞれを結線する物理的に独立した接続部と、
を備え、
前記チャネルアダプタ部、前記ディスクアダプタ部、前記キャッシュメモリ、及び前記アービタ部には、各々独立した電源が実装されている、ディスクアレイ制御装置。
【請求項２】
請求項１に記載のディスクアレイ制御装置であって、
２つ以上のＡＣ電源を更に備え、
同一ＡＣ電源境界毎に前記チャネルアダプタ部、前記ディスクアダプタ部、及び前記キャッシュメモリ、及び２つ以上の前記アービタ部を備え、
前記チャネルアダプタ部、前記ディスクアダプタ部、前記アービタ部、及び前記接続部のうち何れかの部位が閉塞した場合に、閉塞が生じたパスとは異なる交替パスを経由して前記チャネルアダプタ部又は前記ディスクアダプタ部から前記キャッシュメモリへのアクセスを継続しながら、閉塞した部位の交換が可能な構造を備える、ディスクアレイ制御装置。
【請求項３】
請求項１又は請求項２に記載のディスクアレイ制御装置であって、
前記アービタ部は、
前記チャネルアダプタ部又は前記ディスクアダプタ部から前記キャッシュメモリに向けて転送される転送データの誤り検出を行う一方で、前記転送データの誤り訂正を行わない故障検出器と、
前記転送データの転送元の前記チャネルアダプタ部又は前記ディスクアダプタ部に直結された第一の故障報告ラインと、
前記転送データの転送先の前記キャッシュメモリに直結された第二の故障報告ラインを備え、
前記転送データの誤り発生時には、前記アダプタ部は、前記第一の故障報告ラインを通じて、転送元の前記チャネルアダプタ部又は前記ディスクアダプタ部に前記転送データの誤りを報告し、前記第二の故障報告ラインを通じて前記キャッシュメモリへの前記転送データの書き込み抑止を要求する、ディスクアレイ制御装置。
【請求項４】
請求項１乃至請求項３のうち何れか１項に記載のディスクアレイ制御装置であって、
前記チャネルアダプタ部又は前記ディスクアダプタ部は、前記チャネルアダプタ部又は前記ディスクアダプタ部と前記アービタ部とを接続する接続部の接続状態を確認する接続確認部を更に備え、
前記接続確認部は、前記チャネルアダプタ部又は前記ディスクアダプタ部と前記アービタ部とを接続する専用ラインの信号レベルを監視することにより、前記接続部の接続状態を監視する、ディスクアレイ制御装置。
【請求項５】
請求項１又は請求項２に記載のディスクアレイ制御装置であって、
前記アービタ部と前記キャッシュメモリとの間に１以上のアービタ部を接続することにより、前記チャネルアダプタ部と前記ディスクアダプタ部を拡張接続する構造を備える、ディスクアレイ制御装置。
【請求項６】
一つ以上のホストコンピュータから転送される入出力データを処理する物理的に独立した２つ以上のチャネルアダプタ部と、一つ以上の磁気ディスク装置から転送される入出力データを処理する物理的に独立した２つ以上のディスクアダプタ部と、前記磁気ディスク装置のデータ及び磁気ディスク装置に関する制御情報を格納する物理的に独立したキャッシュメモリから成るディスクアレイ制御装置において、
前記チャネルアダプタ部と前記キャッシュメモリとの間、及び前記ディスクアダプタ部と前記キャッシュメモリとの間に設けられる物理的に独立した２つ以上の交替可能なアービタ部と、
前記チャネルアダプタ部、前記ディスクアダプタ部、及び前記キャッシュメモリのそれぞれを結線する物理的に独立した接続部と、
前記チャネルアダプタ部、前記ディスクアダプタ部、前記キャッシュメモリ、及び前記アービタ部に電源を供給する２つ以上のＡＣ電源と、
を備え、
同一ＡＣ電源境界毎に前記チャネルアダプタ部、前記ディスクアダプタ部、及び前記キャッシュメモリ、及び２つ以上の前記アービタ部が配設されており、
前記チャネルアダプタ部又は前記ディスクアダプタ部は、それぞれ異なるＡＣ電源境界に属する２つのキャッシュメモリに同一データを二重書きする、ディスクアレイ制御装置。
【手続補正書】
【提出日】平成17年6月1日(2005.6.1)
【手続補正１】
【補正対象書類名】明細書
【補正対象項目名】発明の名称
【補正方法】変更
【補正の内容】
【発明の名称】対物レンズ駆動装置およびそれを用いた光ディスク装置
【手続補正２】
【補正対象書類名】明細書
【補正対象項目名】特許請求の範囲
【補正方法】変更
【補正の内容】
【特許請求の範囲】
【請求項１】
光ビームを集光させる対物レンズと、その対物レンズをその光軸方向あるいは光軸と直交する方向に駆動するための駆動コイルと、その駆動コイルを流れる電流に作用する磁束を発生する磁気回路と、対物レンズを保持するレンズホルダと、少なくとも前記対物レンズとレンズホルダで構成された可動部を弾性支持する弾性支持部材とを備えた対物レンズ駆動装置において、前記可動部に前記対物レンズ以外の光学素子をその光学素子の光軸線が前記対物レンズの光軸線とほぼ一致するように付設したことを特徴とする対物レンズ駆動装置。
【請求項２】
請求項１記載の対物レンズ駆動装置において、前記対物レンズ以外の光学素子が、前記可動部の対物レンズ光軸方向の重心位置を中心にして対物レンズとほぼ反対側に配置されて、前記対物レンズの重心位置から前記可動部の重心位置までの距離と前記対物レンズの質量との積と、前記対物レンズ以外の光学素子の重心位置から前記可動部の重心位置までの距離と前記対物レンズ以外の光学素子の質量との積がほぼ等しいことを特徴とする対物レンズ駆動装置。
【請求項３】
請求項１または２記載の対物レンズ駆動装置において、前記対物レンズ以外の光学素子がコリメートレンズであることを特徴とする対物レンズ駆動装置。
【請求項４】
請求項１ないし３のいずれか１項記載の対物レンズ駆動装置において、前記対物レンズ以外の光学素子が前記対物レンズの有効光束分に相当する有効径を有し、その対物レンズ以外の光学素子が前記対物レンズに近接、配置されていることを特徴とする対物レンズ駆動装置。
【請求項５】
請求項１ないし４のいずれか１項記載の対物レンズ駆動装置において、前記対物レンズと前記対物レンズ以外の光学素子が鏡筒で一体化されていることを特徴とする対物レンズ駆動装置。
【請求項６】
光ビームを光ディスク上に集光させる対物レンズと、その対物レンズをその光軸方向あるいは光軸と直交する方向に駆動するための駆動コイルと、その駆動コイルを流れる電流に作用する磁束を発生する磁気回路と、対物レンズを保持するレンズホルダと、少なくとも前記対物レンズとレンズホルダで構成された可動部を弾性支持する弾性支持部材とを備えた対物レンズ駆動装置と、
前記光ビームを出射する半導体レーザとを備えた光ディスク装置において、
前記対物レンズ駆動装置が請求項１ないし５のいずれか１項記載の対物レンズ駆動装置であることを特徴とする光ディスク装置。
【手続補正３】
【補正対象書類名】明細書
【補正対象項目名】０００１
【補正方法】変更
【補正の内容】
【０００１】
【発明の属する技術分野】
本発明は、光ディスク装置などに用いられる対物レンズ駆動装置に係り、特に光学系が小型化、薄型化が可能な対物レンズ駆動装置およびそれを用いた光ディスク装置に関する。
【手続補正４】
【補正対象書類名】明細書
【補正対象項目名】０００９
【補正方法】変更
【補正の内容】
【０００９】
本発明の目的は、前述の従来技術の欠点を解消し、良好な振動特性を有し、光学系の小型化、薄型化が可能な対物レンズ駆動装置およびそれを用いた光ディスク装置を提供することにある。
【手続補正５】
【補正対象書類名】明細書
【補正対象項目名】００１０
【補正方法】変更
【補正の内容】
【００１０】
【課題を解決するための手段】
上記目的を達成するため、本発明は、光ビームを例えば光情報記録媒体（光ディスクや光カード）などの上に集光させる対物レンズと、その対物レンズをその光軸方向あるいは光軸と直交する方向に駆動するための例えばフォーカッシングコイルやトラッキングコイルなどの駆動コイルと、その駆動コイルを流れる電流に作用する磁束を発生する磁気回路と、対物レンズを保持するレンズホルダと、少なくとも前記対物レンズとレンズホルダで構成された可動部を弾性支持する弾性支持部材とを備えた対物レンズ駆動装置において、前記可動部に前記対物レンズ以外の例えばコリメートレンズ（第２のレンズ）などの光学素子をその光学素子の光軸線が前記対物レンズの光軸線とほぼ一致するように付設したことを特徴とするものである。
【手続補正６】
【補正対象書類名】明細書
【補正対象項目名】００１１
【補正方法】変更
【補正の内容】
【００１１】
【発明の実施の形態】
本発明は上述したように、可動部にコリメートレンズなどの対物レンズ以外の光学素子を付設することにより、可動部から機能的に効率の悪い部品（カウンターウェイト）を排除し、機能部品のみで可動部のバランスをとっているため、良好な振動特性が得られ、装置の小型化、薄型化が図れる。
【手続補正７】
【補正対象書類名】明細書
【補正対象項目名】００１３
【補正方法】変更
【補正の内容】
【００１３】
同図に示すようにレンズホルダ２に対物レンズ１、フォーカッシングコイル３、トラッキングコイル４などが保持され、これら対物レンズ１、レンズホルダ２、フォーカッシングコイル３、トラッキングコイル４ならびに後述する第２のレンズ１３などにより可動部が構成されている。可動部は複数の弾性支持部材８で支持され、弾性支持部材８の他端は例えばゲル剤を収納したダンピングボックス１４などの固定部に固定されている。
【手続補正８】
【補正対象書類名】明細書
【補正対象項目名】００２３
【補正方法】変更
【補正の内容】
【００２３】
固定部側にフォーカッシングコイル３とトラッキングコイル４が配置され、フォーカッシング方向およびトラッキング方向に動作可能になっている。この実施の形態においても、対物レンズ駆動装置の可動部としては、第１の実施の形態と機能的に同じで、同様の効果が得られる。
前述のように、可動部にコリメートレンズなどの対物レンズ以外の光学素子を付設して可動部のバランスをとることにより、可動部から機能的に効率の悪い部品（カウンターウェイト）を排除したため、良好な振動特性が得られ、装置の小型化、薄型化が図れる。
また前記実施の形態のように対物レンズ以外の光学素子がコリメートレンズの場合は、従来よりも被照射体（例えば光ディスク）側にコリメートレンズを配置でき、その距離分だけ半導体レーザおよび受光素子などを被照射体側に移動できて、対物レンズ駆動装置の小型化、薄型化が図れる。
さらに対物レンズ以外の光学素子（例えばコリメートレンズ）が対物レンズの有効光束分に相当する有効径を有し、その対物レンズ以外の光学素子が対物レンズに近接、配置することにより、小径の光学素子（例えばコリメートレンズ）ですみ、対物レンズ駆動装置の小型化、薄型化が図れる。
【手続補正９】
【補正対象書類名】明細書
【補正対象項目名】００２４
【補正方法】変更
【補正の内容】
【００２４】
【発明の効果】
本発明によれば、良好な振動特性が得られ、装置の小型化、薄型化が図れる。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
インクを収納可能なインクの収容部と該収容部のインクを記録ヘッドへ供給するインクの供給口との間のインク流路中にバルブを備え、前記バルブが変形することで一時的に開き、前記収容部から前記供給口へインクを導入させるインクタンクであって、
前記インク流路における前記供給口と前記バルブとの間に連通し、かつ圧力変化に対して前記バルブより変形し易い可撓性部材を備え、前記可撓性部材の弾性復元力によって前記供給口内にインク保持力を付与するダンパー手段を設けたことを特徴とするインクタンク。
【請求項２】
インクを収納可能なインクの収容部と該収容部のインクを記録ヘッドへ供給するインクの供給口との間のインク流路中にバルブを備え、該バルブは前記供給口内の圧力が所定圧以下となったときに変形することで一時的に開放され、前記収容部から前記供給口へインクを導入させるインクタンクであって、
前記インク流路における前記供給口と前記バルブとの間に連通し、かつ前記インク供給口からのインクの導出に伴い前記バルブに先行して変形する可撓性部材を備え、該可撓性部材の弾性復元力によって前記供給口内に負圧を付与可能なダンパー手段を設けたことを特徴とするインクタンク。
【請求項３】
インクを収納可能なインクの収容部と該収容部のインクを記録ヘッドへ供給するインクの供給口との間のインク流路中にバルブを備え、該バルブは前記供給口内の圧力が所定圧以下となったときに変形することで一時的に開放され、前記収容部から前記供給口へインクを導入させるインクタンクであって、
前記インク流路における前記供給口と前記バルブとの間に連通するダンパー手段を備え、
前記ダンパー手段は所定圧以下の圧力によって弾性変形を開始すると共に、前記バルブによるインク流路の開閉動作が行なわれた後も弾性変形が残留することによって前記供給口内にインク保持力を付与することを特徴とするインクタンク。
【請求項４】
前記ダンパー手段は、前記バルブと前記供給口に至るインク流路に連通する筒状の可撓性部材によって構成されたことを特徴とする請求項１ないし３のいずれかに記載のインクタンク。
【請求項５】
前記ダンパー手段は、前記インクの収容部に突出していることを特徴とする請求項４に記載のインクタンク。
【請求項６】
前記ダンパー手段は、初期状態において平坦な面形状をなす弾性変形部分を少なくとも一箇所に形成してなることを特徴とする請求項４または５に記載のインクタンク。
【請求項７】
前記ダンパー手段は、初期状態において矩形の横断面形状をなす部分を有することを特徴とする請求項４または５に記載のインクタンク。
【請求項８】
前記ダンパー手段は、前記インクの収容部の側壁部内に収納されることを特徴とする請求項１ないし３のいずれかに記載のインクタンク。
【請求項９】
前記ダンパー手段は、前記インクの収容部の側壁部に形成した凹部と該凹部の外面側に形成される開口部を密閉する可撓性の膜体によって形成されることを特徴とする請求項８に記載のインクタンク。
【請求項１０】
前記ダンパー手段は、前記インクの収容部の側壁部に形成した貫通孔と、この貫通孔の内部側に形成される開口部を密閉する可撓性の膜体と、前記貫通孔の外部側に形成される開口部を密閉する蓋体とにより形成されることを特徴とする請求項９に記載のインクタンク。
【請求項１１】
前記ダンパー手段と前記バルブとをインク収容部の側壁部に形成した単一の貫通孔内に互いに重合した状態で収納したことを特徴とする請求項８ないし１０のいずれかに記載のインクタンク。
【手続補正２】
【補正対象書類名】明細書
【補正対象項目名】０００７
【補正方法】変更
【補正の内容】
【０００７】
【課題を解決するための手段】
本発明に係るインクタンクの第１の形態は、インクを収納可能なインクの収容部と該収容部のインクを記録ヘッドへ供給するインクの供給口との間のインク流路中にバルブを備え、前記バルブが変形することで一時的に開き、前記収容部から前記供給口へインクを導入させるインクタンクであって、前記インク流路における前記供給口と前記バルブとの間に連通し、かつ圧力変化に対して前記バルブより変形し易い可撓性部材を備え、前記可撓性部材の弾性復元力によって前記供給口内にインク保持力を付与するダンパー手段を設けたことを特徴とする。
本発明に係るインクタンクの第２の形態は、インクを収納可能なインクの収容部と該収容部のインクを記録ヘッドへ供給するインクの供給口との間のインク流路中にバルブを備え、該バルブは前記供給口内の圧力が所定圧以下となったときに変形することで一時的に開放され、前記収容部から前記供給口へインクを導入させるインクタンクであって、前記インク流路における前記供給口と前記バルブとの間に連通し、かつ前記インク供給口からのインクの導出に伴い前記バルブに先行して変形する可撓性部材を備え、該可撓性部材の弾性復元力によって前記供給口内に負圧を付与可能なダンパー手段を設けたことを特徴とする。
本発明に係るインクタンクの第３の形態は、インクを収納可能なインクの収容部と該収容部のインクを記録ヘッドへ供給するインクの供給口との間のインク流路中にバルブを備え、該バルブは前記供給口内の圧力が所定圧以下となったときに変形することで一時的に開放され、前記収容部から前記供給口へインクを導入させるインクタンクであって、前記インク流路における前記供給口と前記バルブとの間に連通するダンパー手段を備え、前記ダンパー手段は所定圧以下の圧力によって弾性変形を開始すると共に、前記バルブによるインク流路の開閉動作が行なわれた後も弾性変形が残留することによって前記供給口内にインク保持力を付与することを特徴とする。
【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
搬送手段(14)で載置搬送される物品(10)を、該搬送手段(14)の側方に設けた搬出路(18)に案内する案内機構(20)を備えた物品案内装置であって、
前記案内機構(20)は、
前記搬送手段(14)の搬送路上方を横切るように巻掛け案内されて走行可能に配設された無端索体(28)と、
該無端索体(28)の下方に設けられ、搬送手段(14)で搬送される物品(10)が通過可能な物品通過空間(40)と、
前記無端索体(28)の走行方向に並設され、該無端索体(28)から下側に延出して前記搬送手段(14)上の物品(10)の進行を遮るように前記物品通過空間(40)を搬出路(18)側から壁状に覆って物品(10)を搬出路(18)に案内し得る複数の案内部材(30)と、
前記無端索体(28)を走行駆動する駆動手段(32)とから構成され、
前記物品通過空間(40)を前記搬出路(18)側から覆っている案内部材群の先端が、搬出路側端位置より前記搬送手段(14)における物品搬送方向の上流側に位置するよう構成すると共に、該先端位置を、前記駆動手段(32)により前記無端索体(28)を走行駆動することで変更し得るよう構成した
ことを特徴とする物品案内装置。
【請求項２】
前記搬送手段(14)には、その一側方に複数の搬出路(18)が物品搬送方向に離間して設けられると共に、各搬出路(18)に対応して前記案内機構(20)が夫々配設され、
前記各案内機構(20)に対応して画成される前記物品通過空間(40)を、前記物品(10)の進行を遮るものと遮らないものとに設定して、前記各搬出路(18)に対して物品(10)が選択的に案内されるよう、前記各案内機構(20)における案内部材群が夫々搬出路(18)側から延びる壁状の案内体として物品通過空間(40)を覆うように前記駆動手段(32)で無端索体(28)を走行させて位置付かせ、前記案内機構(20)は、搬送手段(14)における上流側の案内機構(20)で物品通過空間(40)を覆う領域より下流側の案内機構(20)での物品通過空間(40)を覆う領域が広く設定されるよう、上流側の案内機構(20)を通過した物品(10)を下流側の案内機構(20)を介して対応する搬出路(18)に案内部材群で案内し得るように構成した請求項１記載の物品案内装置。
【請求項３】
前記物品(10)は、搬送手段(14)の物品搬送方向に沿って並んだ列をなし、かつ該搬送手段(14)の幅方向に複数列で搬送されて、各列毎に前記各案内機構(20)により対応する夫々の搬出路(18)に案内するように構成した請求項２記載の物品案内装置。
【請求項４】
予備となる案内機構(20)と搬出路(18)が設けられ、物品(10)が分配案内されていた搬出路(18)に接続する包装機等からの停止信号により、当該搬出路(18)への物品(10)の案内を停止した際に、予備の案内機構(20)より下流側の案内機構(20)の物品案内が停止した場合は、当該物品案内を停止した案内機構(20)で物品通過空間(40)を覆っていた領域に対し、予備の案内機構(20)での物品通過空間(40)を覆う領域が同じまたは狭くなるよう案内部材群における先頭の案内部材(30)を位置付かせるようにし、予備の案内機構(20)より上流側の案内機構(20)の物品案内が停止した場合は、当該物品案内を停止した案内機構(20)により物品通過空間(40)を覆う領域を、予備の案内機構(20)での物品通過空間(40)を覆う領域より狭くなるよう案内部材群における先頭の案内部材(30)を位置付かせるようにすることで、前記予備の案内機構(20)により物品(10)を対応の搬出路(18)へ案内し得るよう構成される請求項２または３記載の物品案内装置。
【請求項５】
前記無端索体(28)は、一対の回転体(26,26)に上下方向に巻掛けられて下側直線軌道部(28a)を有し、前記案内部材(30)は無端索体(28)の外方に延出してその走行方向に並設され、下側直線軌道部(28a)において下側に延出するよう構成されている請求項１〜４の何れかに記載の物品案内装置。
【請求項６】
前記無端索体(28)に対して各案内部材(30)は、隣り合う案内部材(30)との間に概ね隙間がない密着状態で配設されて、案内部材群が搬出路(18)側から延びる壁状の案内体として前記物品通過空間(40)を覆うよう構成した請求項１〜５の何れかに記載の物品案内装置。
【手続補正２】
【補正対象書類名】明細書
【補正対象項目名】０００７
【補正方法】変更
【補正の内容】
【０００７】
【課題を解決するための手段】
前記課題を克服し、所定の目的を達成するため、本発明に係る物品案内装置は、
搬送手段で載置搬送される物品を、該搬送手段の側方に設けた搬出路に案内する案内機構を備えた物品案内装置であって、
前記案内機構は、
前記搬送手段の搬送路上方を横切るように巻掛け案内されて走行可能に配設された無端索体と、
該無端索体の下方に設けられ、搬送手段で搬送される物品が通過可能な物品通過空間と、
前記無端索体の走行方向に並設され、該無端索体から下側に延出して前記搬送手段上の物品の進行を遮るように前記物品通過空間を搬出路側から壁状に覆って物品を搬出路に案内し得る複数の案内部材と、
前記無端索体を走行駆動する駆動手段とから構成され、
前記物品通過空間を前記搬出路側から覆っている案内部材群の先端が、搬出路側端位置より前記搬送手段における物品搬送方向の上流側に位置するよう構成すると共に、該先端位置を、前記駆動手段により前記無端索体を走行駆動することで変更し得るよう構成したことを特徴とする。
【手続補正３】
【補正対象書類名】明細書
【補正対象項目名】００２５
【補正方法】変更
【補正の内容】
【００２５】
また請求項２に係る物品案内装置によれば、搬送手段の一側方に設けた複数の搬出路に対して選択的に、案内機構を介して物品を分配することができる。更に請求項３に係る物品案内装置によれば、列をなして搬送される物品を、その列毎に案内機構を介して対応する搬出路に案内し得る。
請求項４に係る物品案内装置によれば、予備となる案内機構と搬出路を設けることで、物品が分配案内されていた搬出路への物品の案内を停止した際には、物品の搬送を停止することなく予備の案内機構により物品を対応の搬出路へ案内することができる。請求項５に係る物品案内装置によれば、下側直線軌道部を有する無端索体に案内部材を走行方向に並設したから、搬送手段の搬送路上方で案内部材を直線的に移動するだけで、物品を複数の搬送路に選択的に案内することができ、機構を簡素化してコンパクト化を図り得る。請求項６に係る物品案内装置によれば、無端索体に対して各案内部材を、隣り合う案内部材との間に概ね隙間がない密着状態で配設したから、物品通過空間を覆う案内部材群で、搬送手段の搬送に伴って搬送される物品を対応する搬出路に向けて確実に案内し得る。
【手続補正４】
【補正対象書類名】明細書
【補正対象項目名】符号の説明
【補正方法】変更
【補正の内容】
【符号の説明】
１０  物品
１４  搬送手段
１８  搬出路
２０  案内機構
２６  回転体
２８  無端索体
２８ａ  下側直線軌道部
３０  案内部材
３２  モータ(駆動手段)
４０  物品通過空間
【手続補正書】
【提出日】平成17年8月3日(2005.8.3)
【手続補正１】
【補正対象書類名】明細書
【補正対象項目名】特許請求の範囲
【補正方法】変更
【補正の内容】
【特許請求の範囲】
【請求項１】
かごと、釣り合いおもりと、前記かご及び前記釣り合いおもりを吊る巻上機と、を備えるエレベータの駆動制御を行うエレベータの制御装置であって、
エレベータの回生方向運転時において、
エレベータが前回停止した時刻からエレベータが次に起動される時刻までの時間に基づいて算出される実際のトルク補償信号の値を用いてエレベータの駆動トルクを制御することを特徴とするエレベータの制御装置。
【請求項２】
請求項１に記載のエレベータの制御装置であって、
前記実際のトルク補償信号の値は、前記巻上機に特有の巻上機定数と、前記かごの重量と前記釣り合いおもりの重量との差であるアンバランス負荷と、エレベータが前回停止した時刻からエレベータが次に起動される時刻までの時間に基づいて決定される回生時係数と、の積に基づいて決定されることを特徴とするエレベータの制御装置。
【請求項３】
かごと、釣り合いおもりと、前記かご及び前記釣り合いおもりを吊る巻上機と、を備えるエレベータであって、
エレベータの回生方向運転時において、
エレベータが前回停止した時刻からエレベータが次に起動される時刻までの時間に基づいて算出される実際のトルク補償信号の値を用いてエレベータの駆動トルクを制御することを特徴とするエレベータ。
【請求項４】
請求項３に記載のエレベータであって、
前記実際のトルク補償信号の値は、前記巻上機に特有の巻上機定数と、前記かごの重量と前記釣り合いおもりの重量との差であるアンバランス負荷と、エレベータが前回停止した時刻からエレベータが次に起動される時刻までの時間に基づいて決定される回生時係数と、の積に基づいて決定されることを特徴とするエレベータ。
【手続補正２】
【補正対象書類名】明細書
【補正対象項目名】０００２
【補正方法】変更
【補正の内容】
【０００２】
【従来の技術】
エレベータは、図５に示すように、人や荷物等が載せられるかご１０と釣り合いおもり１２とをメインロープ１４で繋ぎ、メインロープ１４が巻き掛けられた巻上機１６をモータ１８で回転駆動させることによって駆動させられる。モータ１８は、モータ１８へ電力を供給する電力変換器２０によって作動させられる。
【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
シート搬送方向に対し角度を持って配置された斜送ローラと、該
斜送ローラにシートを押圧させる回転自在な斜送ピンチローラと、シート搬送方向に配置
された基準壁を具備したシート搬送装置において、
前記斜送ローラが搬送するシートのシート面に接触する前記斜送ピンチローラのシートを
はさんだ対向面に前記斜送ローラが接触しないことを特徴とするシート搬送装置。
【請求項２】
前記斜送ピンチローラを前記斜送ローラに対しシート搬送方向の上
流側に配置することを特徴とする請求項１に記載のシート搬送装置。
【請求項３】
前記前記斜送ローラに凹部を設けたことを特徴とする請求項１に記
載のシート搬送装置。
【請求項４】
前記斜送ローラが複数設置される時、前記斜送ピンチローラは前記
複数の斜送ローラと斜送ローラとの間に配置されることを特徴とする請求項１に記載のシ
ート搬送装置。
【手続補正２】
【補正対象書類名】明細書
【補正対象項目名】０００４
【補正方法】変更
【補正の内容】
【０００４】  そこで、本発明は従来の斜行補正機構を有するシート搬送装置において、斜送補正を行うときに発生するシート後端部のめくれを防止することを目的とする。
【手続補正３】
【補正対象書類名】明細書
【補正対象項目名】０００５
【補正方法】変更
【補正の内容】
【０００５】【課題を解決するための手段】【０００５】  本発明は、上記目的を達成するため、シート搬送方向に対し角度を持って配置された斜送ローラと、該斜送ローラにシートを押圧させる回転自在な斜送ピンチローラと、シート搬送方向に配置された基準壁を具備したシート搬送装置において、前記斜送ローラが搬送するシートのシート面に接触する前記斜送ピンチローラのシートをはさんだ対向面に前記斜送ローラが接触しないことを特徴とする。
【手続補正４】
【補正対象書類名】明細書
【補正対象項目名】０００６
【補正方法】変更
【補正の内容】
【０００６】 また、本発明は、上記目的を達成するため、前記斜送ピンチローラを前記斜送ローラに対しシート搬送方向の上流側に配置することを特徴とする。    また、本発明は、上記目的を達成するため、斜送ローラに凹部を設けたことを特徴とする。
【手続補正５】
【補正対象書類名】明細書
【補正対象項目名】０００７
【補正方法】変更
【補正の内容】
【０００７】    また、本発明は、上記目的を達成するため、前記斜送ローラが複数設置される時、前記斜送ピンチローラは前記複数の斜送ローラと斜送ローラとの間に配置されることを特徴とする。
【手続補正６】
【補正対象書類名】明細書
【補正対象項目名】００２１
【補正方法】変更
【補正の内容】
【００２１】      【発明の効果】以上、説明したように本発明によれば、斜行補正機構において、斜送ローラが搬送するシートのシート面に接触する前記斜送ピンチローラのシートをはさんだ対向面に斜送ローラが接触しないことによって、シートが斜送ピンチローラから離れるときに斜送ローラに接するシート後端のエッジ部分は、回転している斜送ローラに当接しない。また、斜送ピンチローラをシート搬送方向の上流側に配置することにより、シートが斜送ピンチローラ直下を抜けるときに斜送ローラは斜送ピンチローラ直下でシート後端のエッジ部が斜送ローラと当接することはない。よって、シート後端部のめくれを防止することができる。
【手続補正７】
【補正対象書類名】明細書
【補正対象項目名】図面の簡単な説明
【補正方法】変更
【補正の内容】
【図面の簡単な説明】【図１】本発明の実施第一形態に関わる斜行補正機構の構成を示すシート搬送方向の上流側からの平面図【図２】上記斜行補正機構の構成を示す上方からの平面図【図３】本発明の実施第一形態に関わるシート搬送手段を備えた画像形成装置の一例であるカードプリンタの全体的な構成を示す側面図【図４】上記シート搬送装置の平面図【図５】本発明の実施第一形態に関わる斜行補正手段において、シートが斜送ピンチローラ直下を抜ける時の断面図【図６】上記斜行補正機構において、シートが斜送ピンチローラから離れるときの断面図【図７】シート搬送装置に設けられたシート搬送制御を説明する図【図８】本発明の実施第二形態に関わる斜行補正手段の構成を示すシート搬送方向の上流側からの平面図【図９】従来の斜行補正機構の構成を示すシート搬送方向の上流側からの平面図【図１０】上記斜行補正機構の構成を示す上方からの平面図【図１１】上記斜行補正機構の構成を示す側面図【図１２】上記斜行補正機構において、シートが斜送ピンチローラ直下を抜けるときの断面図
【手続補正９】
【補正対象書類名】図面
【補正対象項目名】図２
【補正方法】変更
【補正の内容】
【図２】
2004345821.tif 000001
【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  封筒を開封するための刃部材と、前記刃部材を収容するケース本体と、を備え、前記刃部材は、前記ケース本体の一側面に対して斜め方向に、前記ケース本体に収容される収納位置と前記ケース本体の前記一側面から突出する開封位置との間を前記斜め方向に移動自在に前記ケース本体に装着され、前記刃部材の刃部が前記斜め方向に延びていることを特徴とする封筒の開封具。
【請求項２】  前記ケース本体には、前記刃部材を前記収納位置に向けて弾性的に偏倚する弾性偏倚手段が装着されていることを特徴とする請求項１に記載の封筒の開封具。
【請求項３】  前記ケース本体には、前記刃部材の移動経路の一部を貫通して孔が設けられていることを特徴とする請求項２に記載の封筒の開封具。
【請求項４】  前記ケース本体の前記一側面は略Ｖ字状に形成され、その幅方向両端から中央部に向けて凹状に傾斜しており、前記刃部材は前記ケース本体の前記一側面の底部に配設されていることを特徴とする請求項１〜３のいずれかに記載の封筒の開封具。
【請求項５】  前記ケース本体には、前記刃部材を覆うためのカバー部材が設けられていることを特徴とする請求項１〜４のいずれかに記載の封筒の開封具。
【手続補正２】
【補正対象書類名】明細書
【補正対象項目名】０００６
【補正方法】変更
【補正の内容】
【０００６】
【課題を解決するための手段】
本発明の請求項１に記載の開封具は、封筒を開封するための刃部材と、前記刃部材を収容するケース本体と、を備え、前記刃部材は、前記ケース本体の一側面に対して斜め方向に、前記ケース本体に収容される収納位置と前記ケース本体の前記一側面から突出する開封位置との間を前記斜め方向に移動自在に前記ケース本体に装着され、前記刃部材の刃部が前記斜め方向に延びていることを特徴とする。
【手続補正３】
【補正対象書類名】明細書
【補正対象項目名】０００７
【補正方法】変更
【補正の内容】
【０００７】
この開封具においては、刃部材はケース本体の一側面に対して斜め方向に装着され、刃部材の刃部はこの斜め方向に延びているので、開封切断するための刃部は封筒の開封部に対して斜め方向に作用するようになり、それ故に、封筒に対してケース本体を相対的に所定方向に移動させることによって、刃部材の刃部が食い込むように作用し、開封部を容易に且つ確実に切断開封することができる。また、刃部材が収納位置と開封位置との間を移動自在であるので、収納位置においては、刃部材がケース本体に収納され、取扱い時（例えば、携帯時）の安全性を確保することができ、また開封時においては、刃部材がケース本体から突出し、刃部材の刃部を封筒の開封部に作用させて切断することができる。加えて、刃部材の突出量を調節する（収納位置と開封位置との間の適宜の位置に位置付ける）ことによって、刃部材の開封部に作用する切断部位が変わり、刃部の摩耗を抑えながら安定して開封することができる。
【手続補正４】
【補正対象書類名】明細書
【補正対象項目名】００３４
【補正方法】変更
【補正の内容】
【００３４】
【発明の効果】
本発明の請求項１に記載の開封具によれば、刃部材はケース本体の一側面に対して斜め方向に装着され、刃部材の刃部はこの斜め方向に延びているので、この刃部が食い込むように作用し、開封部を容易に且つ確実に切断開封することができる。また、刃部材が収納位置と開封位置との間を移動自在であるので、収納位置においては、刃部材がケース本体に収納され、取扱い時の安全性を確保することができ、また開封時においては、刃部材がケース本体から突出し、刃部材の刃部を封筒の開封部に作用させて切断することができる。
【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
記録媒体であるシート材に画像を形成する印字ヘッドと、該印字ヘッドを清掃することの可能な印字ヘッド回復機構と、該シート材を積載可能な積載手段と、シート材積載手段に積載されたシート材を該印字ヘッド直下に給送することの可能な給送装置と、画像を形成するための媒体であるインクを貯蔵することが可能であるインクカートリッジを設置可能である画像形成装置において、該インクカートリッジ内のインクの有無を検知する手段がインク内での通電を利用して行う場合、該インクカートリッジを画像形成装置本体に設置した時にインクカートリッジ内部に設けられた検知部材に画像形成装置本体のインクの有無を検知する端子が接することにより、該インクカートリッジ内のインクの有無を検知することが可能となることを特徴とする画像形成装置。
【請求項２】
該インクカートリッジ内部に少なくとも二つの部屋を有し、かつ各部屋にインクが満たされ、各部屋が少なくとも一箇所にて繋がっており、各部屋にインクの有無を検知することが可能な端子が接続される事が可能であることを特徴とする請求項1に記載の画像形成装置
【請求項３】
インクで満たされる少なくとも二つ以上の部屋の接続口はインクの表面張力でメニスカスを張ることが可能である大きさであり、かつインクに電流をかけた場合抵抗となることが可能である大きさの接続口であることを特徴とする請求項1に記載の画像形成装置
【請求項４】
前述インクで満たされ連通する少なくとも二つ以上の部屋に検知部材が跨って具備されており、該検知部材に画像画像形成装置本体のインクの有無を検知する端子が接することにより、該インクカートリッジ内のインクの有無を検知することが可能となることを特徴とする請求項1に記載の画像形成装置
【請求項５】
インクカートリッジと画像形成装置本体との接続部が少なくとも二つ以上あり、該接続部がインクカートリッジに有する少なくとも二つ以上の部屋に接続された場合、上部の部屋が筒形状になりインクカートリッジ底面付近まで伸びている事を特徴とする請求項1に記載の画像形成装置．
【請求項６】
画像を形成するための媒体であるインクを貯蔵することが可能であるインクカートリッジを設置可能である画像形成装置に搭載するインクカートリッジおいて、該インクカートリッジ内のインクの有無を検知する検知手段を利用して行う場合、該インクカートリッジを画像形成装置本体に設置する際に、前記検知手段に当接する検知部材を設け、前記検知部材が前記検知手段に接することにより、該インクカートリッジ内のインクの有無を検知することが可能となることを特徴とするインクカートリッジ。
【請求項７】
前記インクカートリッジ内部に少なくとも二つの部屋を有し、かつ各部屋にインクが満たされ、各部屋が少なくとも一箇所にて繋がっており、前記検知部材が前記各部屋にインクの有無を検知することが可能な様に配設していることを特徴とする請求項６に記載のインクカートリッジ。
【請求項８】
記録媒体であるシート材に画像を形成する印字ヘッドと、該印字ヘッドを清掃することの可能な印字ヘッド回復機構と、該シート材を積載可能な積載手段と、シート材積載手段に積載されたシート材を該印字ヘッド直下に給送することの可能な給送装置と、該インクカートリッジ内のインクの有無を検知する検知手段と、該検知手段に接触しインクカートリッジ内部に設けられた検知部材とを備え、前記検知部材が前記検知手段に接することにより、該インクカートリッジ内のインクの有無を検知することが可能となることを特徴とする画像形成装置。
【請求項９】
前記検知手段は前記カートリッジのインクを供給するための針部材に設けられていることを特徴とする請求項８に記載の画像形成装置。
【請求項１０】
前記針部材は複数設けられ、前記針部材の１つは、前記カートリッジからインクを供給し、前記針部材の他は前記カートリッジにインクを供給することを特徴とする請求項９に記載の画像形成装置。
【手続補正２】
【補正対象書類名】明細書
【補正対象項目名】０００３
【補正方法】変更
【補正の内容】
【０００３】
従来印字ヘッドにインクを供給するのに、印字ヘッドに一定の圧力（負圧）をかけるため、インクカートリッジの圧力の状態に関わらないようにするため、また該印字ヘッドに空気等が混入することが無いようにインクカートリッジからインクを一度別の密閉されたタンクに供給し、そこから改めて印字ヘッドに供給する構成をとっている。
【手続補正３】
【補正対象書類名】明細書
【補正対象項目名】００１４
【補正方法】変更
【補正の内容】
【００１４】
上述の課題を解決するために、本発明は、インクで満たされる少なくとも二つ以上の部屋の接続口はインクの表面張力でメニスカスを張ることが可能である大きさであり、かつインクに電流をかけた場合抵抗となることが可能である大きさの接続口であることを特徴とする。
【手続補正４】
【補正対象書類名】明細書
【補正対象項目名】００１６
【補正方法】変更
【補正の内容】
【００１６】
上述の課題を解決するために、本発明は、インクカートリッジと画像形成装置本体との接続部が少なくとも二つ以上あり、該接続部がインクカートリッジに有する少なくとも二つ以上の部屋に接続された場合、上部の部屋が筒形状になりインクカートリッジ底面付近まで伸びている事を特徴とする。
【手続補正５】
【補正対象書類名】明細書
【補正対象項目名】００３９
【補正方法】変更
【補正の内容】
【００３９】
また、２０２はインク供給機構であり、２０３は印字ヘッドである。インクカートリッジ２０１には針部材２０４、２１４により接続され、針部材２０４、２０５にはチューブ２０６、２０７が設置されている。インク供給機構２０２にはインクをインクカートリッジ２０１から印字ヘッド２０３に受け渡すシリンダー２０７があり、シリンダー２０７にはシリンダー２０７の内容積を変化させることの可能なピストン２０８が具備されている。
【手続補正６】
【補正対象書類名】図面
【補正対象項目名】図２
【補正方法】変更
【補正の内容】
【図２】
2004345316.tif 000001
【手続補正７】
【補正対象書類名】図面
【補正対象項目名】図３
【補正方法】変更
【補正の内容】
【図３】
2004345316.tif 000002
【手続補正８】
【補正対象書類名】図面
【補正対象項目名】図９
【補正方法】変更
【補正の内容】
【図９】
2004345316.tif 000003
【手続補正９】
【補正対象書類名】図面
【補正対象項目名】図１０
【補正方法】変更
【補正の内容】
【図１０】
2004345316.tif 000004
【手続補正書】
【提出日】平成16年11月11日(2004.11.11)
【手続補正１】
【補正対象書類名】明細書
【補正対象項目名】０００１
【補正方法】変更
【補正の内容】
【０００１】
【発明の属する技術分野】
本発明は、観察者の頭部或いは顔面に装着し、映像を表示する映像表示装置に関するものである。
【手続補正２】
【補正対象書類名】明細書
【補正対象項目名】０００６
【補正方法】変更
【補正の内容】
【０００６】
本発明の第１の目的は、上述の問題点を解消し、防塵部材を使用することによって有効光学面への塵埃の付着を防止する映像表示装置を提供することにある。
【手続補正３】
【補正対象書類名】明細書
【補正対象項目名】００１２
【補正方法】変更
【補正の内容】
【００１２】
しかし、プリズム２６の光学面２６ｂ及び映像射出面２６ｃは、光学的な焦点面ではないため、この光学面２６ｂ、映像射出面２６ｃに付着した塵埃等の汚れは観察者Ｓの見え具合には殆ど影響はない。従って、防塵部材２８をＬＣＤ２２とプリズム２６の第１面２６ａの間にのみに配置することにより、ＬＣＤ２２の映像表示面及びプリズムの第１面２６ａに塵埃等が付着することを防止して、防塵部材２８の必要な容積を少なくすることができる。
【手続補正４】
【補正対象書類名】明細書
【補正対象項目名】００２０
【補正方法】変更
【補正の内容】
【００２０】
図５は第４の実施例におけるプリズムの斜視図、図６は断面図を示しており、点線で示された部分はプリズム２６の光学有効の中心断面であり、プリズム２６の非有効光学面３２上の位置決め部３３を光学有効面３１よりも高い位置に配置することにより、ＬＣＤ２２と位置決め部３３との距離を接近させることができ、防塵部材２８を更に小型化することができる。